(57)【特許請求の範囲】
【請求項１】
燃焼ガスが流れる燃焼ガス流路内に配置され、翼形を成す翼体と、
前記翼体の翼高さ方向の端部に形成されている端板と、
を有し、
前記端板は、
前記燃焼ガス流路の側を向くガスパス面と、
前記ガスパス面と相反する側を向く反ガスパス面と、
前記ガスパス面の縁に沿った端面と、
前記ガスパス面と前記反ガスパス面との間に配置され、前記ガスパス面に沿った方向に延びる複数の通路と、
前記翼体及び前記端板の表面のうちで前記端面の一部である部分端面のみで開口する巾木孔と、
を有し、
複数の前記通路は、前記部分端面に対する遠近方向に並び、
前記巾木孔は、複数の前記通路のうち、前記部分端面に近い外側通路よりも、前記部分端面から遠い内側通路に、前記翼高さ方向の方向成分を含む方向に延びる空間のみで連通し、前記翼高さ方向から見て前記外側通路と一部が重なり、前記巾木孔の前記一部の前記翼高さ方向の位置と前記外側通路の前記翼高さ方向の位置とが異なる、
翼。
【請求項２】
請求項１に記載の翼において、
前記巾木孔は、前記外側通路よりも前記反ガスパス面の側を通る、
翼。
【請求項３】
燃焼ガスが流れる燃焼ガス流路内に配置され、翼形を成す翼体と、
前記翼体の翼高さ方向の端部に形成されている端板と、
を有し、
前記端板は、
前記燃焼ガス流路の側を向くガスパス面と、
前記ガスパス面と相反する側を向く反ガスパス面と、
前記ガスパス面の縁に沿った端面と、
前記ガスパス面と前記反ガスパス面との間に配置され、前記ガスパス面に沿った方向に延びる複数の通路と、
前記翼体及び前記端板の表面のうちで前記端面の一部である部分端面のみで開口する巾木孔と、
を有し、
複数の前記通路は、前記部分端面に対する遠近方向に並び、
前記巾木孔は、複数の前記通路のうち、前記部分端面に近い外側通路よりも、前記部分端面から遠い内側通路に、前記翼高さ方向の方向成分を含む方向に延びる空間のみで連通し、前記外側通路よりも前記反ガスパス面の側を通る、
翼。
【請求項４】
請求項２又は３に記載の翼において、
前記巾木孔は、前記内側通路から前記反ガスパス面の側に延びる第一延在部と、前記第一延在部における前記反ガスパス面の側の端部から前記部分端面へ延びる第二延在部と、を有し、
前記空間は、前記第一延在部である、
翼。
【請求項５】
請求項２又は３に記載の翼において、
前記巾木孔は、前記内側通路から前記部分端面に近づくに連れて次第に前記反ガスパス面の側に近付く傾斜孔部を有し、
前記空間は、前記傾斜孔部である、
翼。
【請求項６】
請求項２から５のいずれか一項に記載の翼において、
前記内側通路は、前記外側通路よりも、前記反ガスパス面の側に膨らんでいる膨張部を有し、
前記巾木孔は、前記内側通路の前記膨張部に連通し、
前記空間は、前記膨張部である、
翼。
【請求項７】
請求項１から６のいずれか一項に記載の翼において、
前記部分端面における前記巾木孔の開口を塞ぐプラグを有する、
翼。
【請求項８】
請求項７に記載の翼において、
前記プラグは、前記巾木孔内の冷却空気を外部に噴出する貫通孔を有する、
翼。
【請求項９】
請求項１から８のいずれか一項に記載の翼において、
複数の前記通路のそれぞれは、前記部分端面に沿った方向に延び、前記部分端面に沿った方向の端で、前記遠近方向で隣接する通路と連通することで、複数の前記通路は、互いに連通し、一のサーペンタイン通路を成す、
翼。
【請求項１０】
請求項１から９のいずれか一項に記載の複数の翼と、
複数の前記翼が取り付けられているロータ軸と、
複数の前記翼、及び前記ロータ軸を覆う車室と、
前記車室内で、複数の前記翼が配置されている領域に燃焼ガスを送る燃焼器と、
を備えるガスタービン。
【請求項１１】
燃焼ガスが流れる燃焼ガス流路内に配置され、翼形を成す翼体と、前記翼体の翼高さ方向の端部から前記翼高さ方向に対して垂直な成分を有する方向に広がる端板と、を有し、
前記端板は、前記燃焼ガス流路の側を向くガスパス面と、前記ガスパス面と相反する側を向く反ガスパス面と、前記ガスパス面の縁に沿った端面と、冷却空気が流入する空気空間と、を有する、
翼の製造方法において、
前記翼の外形状に合った内部空間が形成されている鋳型を形成する鋳型形成工程と、
前記端板内の前記空気空間の形状にあった外形状の中子を形成する中子形成工程と、
前記鋳型内に前記中子を配置して、前記鋳型内に溶融金属を流し込む鋳込み工程と、
溶融金属が硬化した後に、前記中子を溶解させる中子溶解工程と、
を実行し、
前記中子形成工程では、前記中子として、
前記端板における前記ガスパス面と前記反ガスパス面との間に配置され、前記ガスパス面に沿った方向に延び、前記端面の一部である部分端面に対する遠近方向に並ぶ複数の通路のそれぞれを形成する通路中子と、
複数の前記通路のうち、前記部分端面に近い外側通路よりも、前記部分端面から遠い内側通路に、前記翼高さ方向の方向成分を含む方向に延びる空間のみで連通し、前記部分端面のみで開口する巾木孔を形成する巾木中子と、
を形成し、
前記巾木孔は、前記翼高さ方向から見て前記外側通路と一部が重なり、前記巾木孔の前記一部の前記翼高さ方向の位置と前記外側通路の前記翼高さ方向の位置とが異なる、
翼の製造方法。
【請求項１２】
請求項１１に記載の翼の製造方法において、
前記巾木孔は、前記外側通路よりも前記反ガスパス面の側を通る、
翼の製造方法。
【請求項１３】
燃焼ガスが流れる燃焼ガス流路内に配置され、翼形を成す翼体と、前記翼体の翼高さ方向の端部から前記翼高さ方向に対して垂直な成分を有する方向に広がる端板と、を有し、
前記端板は、前記燃焼ガス流路の側を向くガスパス面と、前記ガスパス面と相反する側を向く反ガスパス面と、前記ガスパス面の縁に沿った端面と、冷却空気が流入する空気空間と、を有する、
翼の製造方法において、
前記翼の外形状に合った内部空間が形成されている鋳型を形成する鋳型形成工程と、
前記端板内の前記空気空間の形状にあった外形状の中子を形成する中子形成工程と、
前記鋳型内に前記中子を配置して、前記鋳型内に溶融金属を流し込む鋳込み工程と、
溶融金属が硬化した後に、前記中子を溶解させる中子溶解工程と、
を実行し、
前記中子形成工程では、前記中子として、
前記端板における前記ガスパス面と前記反ガスパス面との間に配置され、前記ガスパス面に沿った方向に延び、前記端面の一部である部分端面に対する遠近方向に並ぶ複数の通路のそれぞれを形成する通路中子と、
複数の前記通路のうち、前記部分端面に近い外側通路よりも、前記部分端面から遠い内側通路に、前記翼高さ方向の方向成分を含む方向に延びる空間のみで連通し、前記部分端面のみで開口する巾木孔を形成する巾木中子と、
を形成し、
前記巾木孔は、前記外側通路よりも前記反ガスパス面の側を通る、
翼の製造方法。
【請求項１４】
請求項１１から１３のいずれか一項に記載の翼の製造方法において、
前記中子溶解工程後に、前記部分端面における前記巾木孔の開口をプラグで塞ぐ封止工程を実行する、
翼の製造方法。
【発明の詳細な説明】
【技術分野】
【０００１】
本発明は、翼、これを備えているガスタービン、及び翼の製造方法に関する。
【背景技術】
【０００２】
ガスタービンは、軸線を中心として回転するロータと、このロータを覆う車室と、を備える。ロータは、ロータ軸と、このロータ軸に取り付けられている複数の動翼とを有する。また、車室の内周側には複数の静翼が取り付けられている。動翼は、翼形を成す翼体と、翼体の翼高さ方向の端部から翼高さ方向に対してほぼ垂直な方向に広がるプラットフォームと、プラットフォームから翼体と反対側に延びる軸取付部と、を有する。
【０００３】
ガスタービンの動翼や静翼は、高温の燃焼ガスに晒される。このため、動翼や静翼は、一般的に、空気等で冷却される。
【０００４】
例えば、以下の特許文献１に記載の動翼には、冷却空気が通る各種冷却通路が形成されている。具体的に、翼体、プラットフォーム及び軸取付部には、内部を翼高さ方向に延びて、冷却空気が流れる翼通路が形成されている。プラットフォームには、翼高さ方向を向いて燃焼ガスに接するガスパス面と、ガスパス面と背合わせの関係にある反ガスパス面と、ガスパス面の縁に沿った端面と、が形成されている。さらに、このプラットフォームには、冷却空気を流すプラットフォーム通路が形成されている。このプラットフォーム通路は、サーペンタイン通路である。サーペンタイン通路は、特定の方向に延び且つ特定方向に対して垂直な方向に並ぶ複数の通路を有する。このサーペンタンイン通路は、複数の通路の端相互がつながって、全体として蛇行した通路を成す。
【先行技術文献】
【特許文献】
【０００５】
【特許文献１】特許第３０７３４０４号公報
【発明の概要】
【発明が解決しようとする課題】
【０００６】
上記特許文献１に記載のような動翼は、一般的には、以下の手順で製造される。
（１）動翼の外形状に合った内部空間が形成されている鋳型を形成する。
（２）プラットフォーム通路の形状にあった外形状の通路中子、及び、鋳型内での通路中子を支える巾木中子を形成する。
（３）鋳型内に通路中子及び巾木中子を配置して、鋳型内に溶融金属を流し込む。
（４）溶融金属が硬化した後に、通路中子及び巾木中子を溶解させる。
【０００７】
以上の手順で製造された動翼の端板であるプラットフォームには、冷却空気が流れるプラットフォーム通路の他に、製造過程で鋳型内に配置した巾木中子が存在していた部分に巾木孔が形成されていることになる。
【０００８】
端板であるプラットフォームの巾木孔は、製造上の必要性から形成されるものである。しかしながら、動翼は、この巾木孔が形成されることにより、動翼に高い応力が発生する。
【０００９】
そこで、本発明は、端板に複数の通路が形成されているものの、高い応力の発生を抑えることができる翼、これを備えているガスタービン、及び翼の製造方法を提供することを目的とする。
【課題を解決するための手段】
【００１０】
前記目的を達成するための発明に係る一態様としての翼は、
燃焼ガスが流れる燃焼ガス流路内に配置され、翼形を成す翼体と、前記翼体の翼高さ方向の端部に形成されている端板と、を有し、前記端板は、前記燃焼ガス流路の側を向くガスパス面と、前記ガスパス面と相反する側を向く反ガスパス面と、前記ガスパス面の縁に沿った端面と、前記ガスパス面と前記反ガスパス面との間に配置され、前記ガスパス面に沿った方向に延びる複数の通路と、前記翼体及び前記端板の表面のうちで前記端面の一部である部分端面のみで開口する巾木孔と、を有し、複数の前記通路は、前記部分端面に対する遠近方向に並び、前記巾木孔は、複数の前記通路のうち、前記部分端面に近い外側通路よりも、前記部分端面から遠い内側通路に、前記翼高さ方向の方向成分を含む方向に延びる空間のみで連通し、前記翼高さ方向から見て前記外側通路と一部が重なり、前記巾木孔の前記一部の前記翼高さ方向の位置と前記外側通路の前記翼高さ方向の位置とが異なる。
【００１１】
当該翼では、巾木孔が端板の部分端面で開口している。このため、当該翼では、この巾木孔の開口が形成されている部分端面近傍に応力が発生する。しかしながら、端板の外周側部分は、実質的に自由端であるため、端板の部分端面を含む側端部に発生する応力は極めて小さい。よって、当該翼では、巾木孔の開口近傍の損傷を抑えることができる。
【００１２】
また、当該翼では、内側通路を流れる冷却空気を、巾木孔を介して、端板の部分端面から噴出させることができる。すなわち、当該翼では、巾木孔を冷却空気が通る空気通路として利用することができる。端板の部分端面からから噴出した冷却空気は、この部分端面を冷却する。
【００１４】
また、前記翼において、前記巾木孔は、前記外側通路よりも前記反ガスパス面の側を通ってもよい。
また、前記目的を達成するための発明に係る他の一態様としての翼は、
燃焼ガスが流れる燃焼ガス流路内に配置され、翼形を成す翼体と、前記翼体の翼高さ方向の端部に形成されている端板と、を有し、前記端板は、前記燃焼ガス流路の側を向くガスパス面と、前記ガスパス面と相反する側を向く反ガスパス面と、前記ガスパス面の縁に沿った端面と、前記ガスパス面と前記反ガスパス面との間に配置され、前記ガスパス面に沿った方向に延びる複数の通路と、前記翼体及び前記端板の表面のうちで前記端面の一部である部分端面のみで開口する巾木孔と、を有し、複数の前記通路は、前記部分端面に対する遠近方向に並び、前記巾木孔は、複数の前記通路のうち、前記部分端面に近い外側通路よりも、前記部分端面から遠い内側通路に、前記翼高さ方向の方向成分を含む方向に延びる空間のみで連通し、前記外側通路よりも前記反ガスパス面の側を通る。
【００１５】
当該翼では、複数の通路が巾木孔よりもガスパス面の側を通る。よって、当該翼では、複数の通路内を通る冷却空気により、端板のガスパス面を効果的に冷却することができる。
【００１６】
また、前記巾木孔が前記外側通路よりも前記反ガスパス面の側を通る前記翼において、前記巾木孔は、前記内側通路から前記反ガスパス面の側に延びる第一延在部と、前記第一延在部における前記反ガスパス面の側の端部から前記部分端面へ延びる第二延在部と、を有してもよい。この場合、前記空間は、前記第一延在部である。
【００１７】
また、前記巾木孔が前記外側通路よりも前記反ガスパス面の側を通る前記翼において、前記巾木孔は、前記内側通路から前記部分端面に近づくに連れて次第に前記反ガスパス面の側に近付く傾斜孔部を有してもよい。この場合、前記空間は、前記傾斜孔部である。
【００１８】
翼の内側通路は、内部にボアスコープが入れられて検査される場合がある。当該翼では、巾木孔から容易に内側通路内にボアスコープを入れることができる。このため、当該翼では、内側通路の検査を容易に行うことができる。
【００１９】
また、前記巾木孔が前記外側通路よりも前記反ガスパス面の側を通る、以上のいずれかの前記翼において、前記内側通路は、前記外側通路よりも、前記反ガスパス面の側に膨らんでいる膨張部を有し、前記巾木孔は、前記内側通路の前記膨張部に連通していてもよい。この場合、前記空間は、前記膨張部である。
【００２０】
当該翼でも、巾木孔から容易に内側通路内にボアスコープを入れることができる。このため、当該翼でも、内側通路の検査を容易に行うことができる。
【００２１】
また、以上のいずれかの前記翼において、前記部分端面における前記巾木孔の開口を塞ぐプラグを有してもよい。
【００２２】
巾木孔からの冷却空気により、部分端面の冷却が不要な場合には、プラグで、部分端面における巾木孔の開口を塞いでもよい。動翼では、ガスタービンロータが回転すると、このプラグに対して径方向外側に向かう遠心力が作用する。当該動翼では、この遠心力により、プラグが径方向外側の移動しようとしても、このプラグが巾木孔の内面で受けられるので、巾木孔から外れ難い。よって、当該動翼では、端板の損傷を抑えることができる。
【００２３】
前記プラグを有する前記翼において、前記プラグは、前記巾木孔内の冷却空気を外部に噴出する貫通孔を有してもよい。
【００２４】
当該翼では、貫通孔の内径を適宜調節することで、部分端面から噴出する冷却空気の流量を適宜調節することができる。よって、当該翼では、冷却空気の使用量を抑えつつ、部分端面を適正に冷却することができる。
【００２５】
以上のいずれかの前記翼において、複数の前記通路のそれぞれは、前記部分端面に沿った方向に延び、前記部分端面に沿った方向の端で、前記遠近方向で隣接する通路と連通することで、複数の前記通路は、互いに連通し、一のサーペンタイン通路を成してもよい。
【００２６】
前記目的を達成するための発明に係る一態様としてのガスタービンは、
以上のいずれかの複数の翼と、複数の前記翼が取り付けられているロータ軸と、複数の前記翼、及び前記ロータ軸を覆う車室と、前記車室内で、複数の前記翼が配置されている領域に燃焼ガスを送る燃焼器と、を備える。
【００２７】
前記目的を達成するための発明に係る一態様としての翼の製造方法は、
燃焼ガスが流れる燃焼ガス流路内に配置され、翼形を成す翼体と、前記翼体の翼高さ方向の端部から前記翼高さ方向に対して垂直な成分を有する方向に広がる端板と、を有し、前記端板は、前記燃焼ガス流路の側を向くガスパス面と、前記ガスパス面と相反する側を向く反ガスパス面と、前記ガスパス面の縁に沿った端面と、冷却空気が流入する空気空間と、を有する翼の製造方法において、前記翼の外形状に合った内部空間が形成されている鋳型を形成する鋳型形成工程と、前記端板内の前記空気空間の形状にあった外形状の中子を形成する中子形成工程と、前記鋳型内に前記中子を配置して、前記鋳型内に溶融金属を流し込む鋳込み工程と、溶融金属が硬化した後に、前記中子を溶解させる中子溶解工程と、を実行し、前記中子形成工程では、前記中子として、前記端板における前記ガスパス面と前記反ガスパス面との間に配置され、前記ガスパス面に沿った方向に延び、前記端面の一部である部分端面に対する遠近方向に並ぶ複数の通路のそれぞれを形成する通路中子と、複数の前記通路のうち、前記部分端面に近い外側通路よりも、前記部分端面から遠い内側通路に、前記翼高さ方向の方向成分を含む方向に延びる空間のみで連通し、前記部分端面のみで開口する巾木孔を形成する巾木中子と、を形成し、前記巾木孔は、前記翼高さ方向から見て前記外側通路と一部が重なり、前記巾木孔の前記一部の前記翼高さ方向の位置と前記外側通路の前記翼高さ方向の位置とが異なる。
ここで、翼の製造方法において、前記巾木孔は、前記外側通路よりも前記反ガスパス面の側を通ってもよい。
また、前記目的を達成するための発明に係る他の態様としての翼の製造方法は、
燃焼ガスが流れる燃焼ガス流路内に配置され、翼形を成す翼体と、前記翼体の翼高さ方向の端部から前記翼高さ方向に対して垂直な成分を有する方向に広がる端板と、を有し、
前記端板は、前記燃焼ガス流路の側を向くガスパス面と、前記ガスパス面と相反する側を向く反ガスパス面と、前記ガスパス面の縁に沿った端面と、冷却空気が流入する空気空間と、を有する翼の製造方法において、前記翼の外形状に合った内部空間が形成されている鋳型を形成する鋳型形成工程と、前記端板内の前記空気空間の形状にあった外形状の中子を形成する中子形成工程と、前記鋳型内に前記中子を配置して、前記鋳型内に溶融金属を流し込む鋳込み工程と、溶融金属が硬化した後に、前記中子を溶解させる中子溶解工程と、を実行し、前記中子形成工程では、前記中子として、前記端板における前記ガスパス面と前記反ガスパス面との間に配置され、前記ガスパス面に沿った方向に延び、前記端面の一部である部分端面に対する遠近方向に並ぶ複数の通路のそれぞれを形成する通路中子と、複数の前記通路のうち、前記部分端面に近い外側通路よりも、前記部分端面から遠い内側通路に、前記翼高さ方向の方向成分を含む方向に延びる空間のみで連通し、前記部分端面のみで開口する巾木孔を形成する巾木中子と、を形成し、前記巾木孔は、前記外側通路よりも前記反ガスパス面の側を通る。
【００２８】
ここで、前記翼の製造方法において、前記中子溶解工程後に、前記部分端面における前記巾木孔の開口をプラグで塞ぐ封止工程を実行してもよい。
【発明の効果】
【００２９】
本発明の一態様によれば、高い応力の発生を抑えることができる。
【図面の簡単な説明】
【００３０】
【図１】本発明に係る第一実施形態におけるガスタービンの模式的な断面図である。
【図２】本発明に係る第一実施形態における動翼の斜視図である。
【図３】本発明に係る第一実施形態における動翼のキャンバーラインに沿った面での断面を示す断面図である。
【図４】図３におけるIＶ−IＶ線断面図である。
【図５】図４におけるＶ−Ｖ線断面図である。
【図６】本発明に係る第一実施形態における動翼の製造手順を示すフローチャートである。
【図７】本発明に係る第一実施形態における動翼の製造過程で形成される鋳型及び中子の要部断面図である。を示す要部断面図である。
【図８】比較例における動翼の翼厚さ方向に広がる面での断面を示す要部断面図である。
【図９】本発明に係る第一変形例における動翼の翼厚さ方向に広がる面での断面を示す要部断面図である。
【図１０】本発明に係る第二変形例における動翼の翼厚さ方向に広がる面での断面を示す要部断面図である。
【図１１】本発明に係る第三変形例における動翼の翼厚さ方向に広がる面での断面を示す要部断面図である。
【図１２】本発明に係る第四変形例における動翼の翼厚さ方向に対して垂直での断面図である。
【図１３】本発明に係る第二実施形態における動翼の側面図である。
【図１４】本発明に係る第二実施形態における動翼の断面図である。
【図１５】本発明に係る第二実施形態におけるチップシュラウドの平面図である。
【図１６】本発明に係る第二実施形態におけるチップシュラウドの断面図である。
【発明を実施するための形態】
【００３１】
以下、本発明の各実施形態及び各種変形例について、図面を参照して詳細に説明する。
【００３２】
「第一実施形態」
図１に示すように、本発明に係る第一実施形態としてのガスタービン１０は、空気Ａを圧縮する圧縮機２０と、圧縮機２０で圧縮された空気Ａ中で燃料Ｆを燃焼させて燃焼ガスＧを生成する燃焼器３０と、燃焼ガスＧにより駆動するタービン４０と、を備えている。
【００３３】
圧縮機２０は、軸線Ａｒを中心として回転する圧縮機ロータ２１と、圧縮機ロータ２１を覆う圧縮機車室２５と、複数の静翼列２６と、を有する。タービン４０は、軸線Ａｒを中心として回転するタービンロータ４１と、タービンロータ４１を覆うタービン車室４５と、複数の静翼列４６と、を有する。
【００３４】
圧縮機ロータ２１とタービンロータ４１とは、同一軸線Ａｒ上に位置し、互いに接続されてガスタービンロータ１１を成す。このガスタービンロータ１１には、例えば、発電機ＧＥＮのロータが接続されている。ガスタービン１０は、さらに、圧縮機車室２５とタービン車室４５との間に配置されている中間車室１４を備えている。燃焼器３０は、この中間車室１４に取り付けられている。圧縮機車室２５と中間車室１４とタービン車室４５とは、互いに接続されてガスタービン車室１５を成す。なお、以下では、軸線Ａｒが延びる方向を軸方向Ｄａ、この軸線Ａｒを中心とした周方向を単に周方向Ｄｃとし、軸線Ａｒに対して垂直な方向を径方向Ｄｒとする。また、軸方向Ｄａでタービン４０を基準にして圧縮機２０側を上流側Ｄａｕ、その反対側を下流側Ｄａｄとする。また、径方向Ｄｒで軸線Ａｒに近づく側を径方向内側Ｄｒｉ、その反対側を径方向外側Ｄｒｏとする。
【００３５】
タービンロータ４１は、軸線Ａｒを中心として軸方向Ｄａに延びるロータ軸４２と、このロータ軸４２に取り付けられている複数の動翼列４３と、を有する。複数の動翼列４３は、軸方向Ｄａに並んでいる。各動翼列４３は、いずれも、周方向Ｄｃに並んでいる複数の動翼５０で構成されている。複数の動翼列４３の各上流側Ｄａｕには、静翼列４６が配置されている。各静翼列４６は、タービン車室４５の内側に設けられている。各静翼列４６は、いずれも、周方向Ｄｃに並んでいる複数の静翼４６ａで構成されている。
【００３６】
ロータ軸４２の外周側とタービン車室４５の内周側との間であって、軸方向Ｄａで静翼４６ａ及び動翼５０が配置されている環状の空間は、燃焼器３０からの燃焼ガスＧが流れる燃焼ガス流路４９を成す。この燃焼ガス流路４９は、軸線Ａｒを中心として環状を成し、軸方向Ｄａに長い。
【００３７】
動翼５０は、図２に示すように、翼形を成す翼体５１と、翼体５１の翼高さ方向Ｄｗｈの端部に設けられているプラットフォーム６０と、プラットフォーム６０から翼体５１と反対側に延びる軸取付部９０と、を有する。この動翼５０がロータ軸４２に取り付けられた状態では、翼高さ方向Ｄｗｈが実質的に径方向Ｄｒと同じ方向になる。よって、この状態では、プラットフォーム６０を基準にして、径方向外側Ｄｒｏに翼体５１が存在し、径方向内側Ｄｒｉに軸取付部９０が存在する。
【００３８】
翼体５１は、燃焼ガス流路４９内に配置される。この翼体５１には、凸状の面である背側面（負圧面）５４と、凹状の面である腹側面（正圧面）５５とが形成されている。背側面５４と腹側面５５とは、翼体５１の前縁５２と後縁５３とでつながっている。動翼５０がロータ軸４２に取り付けられた状態では、前縁５２は、後縁５３に対して、軸方向Ｄａの上流側Ｄａｕに位置する。また、この状態では、背側面５４及び腹側面５５は、いずれも周方向Ｄｃの成分を有する方向を向いている。
【００３９】
プラットフォーム６０は、翼体５１における翼高さ方向Ｄｗｈの端部から翼高さ方向Ｄｗｈに対して垂直な成分を有する方向に広がる板状の部材である。すなわち、プラットフォーム６０は、翼体５１の端板である。このプラットフォーム６０には、燃焼ガス流路４９側を向くガスパス面６１と、ガスパス面６１と背合わせの関係にある反ガスパス面６２と、ガスパス面６１の縁に沿った端面６３，６４と、が形成されている。端面６３，６４としては、図４に示すように、翼高さ方向Ｄｗｈ及び翼弦方向Ｄｗｃに垂直な成分を有する幅方向Ｄｗｐで互いに相反する側を向く一対の側端面６３と、翼弦方向Ｄｗｃで互いに相反する側を向く一対の前後端面６４と、がある。なお、翼弦方向Ｄｗｃとは、翼弦Ｌｃｏと平行な方向である。動翼５０がロータ軸４２に取り付けられた状態では、軸方向Ｄａの成分を含む方向が翼弦方向Ｄｗｃになり、周方向Ｄｃの成分を含む方向が幅方向Ｄｗｐになる。また、以下では、翼弦方向Ｄｗｃで、翼体５１の後縁５３に対して前縁５２が存在する側を前側Ｄｗｆとし、前側Ｄｗｆと反対側を後側Ｄｗｂとする。さらに、以下では、この幅方向Ｄｗｐで、翼体５１の腹側面５５に対して背側面５４が存在する側を背側Ｄｐｎとし、この背側Ｄｐｎと反対側を単に腹側Ｄｐｐとする。また、図２に示すように、翼高さ方向Ｄｗｈで、反ガスパス面６２に対してガスパス面６１が存在する側をガスパス側Ｄｗｈｐ、反対側を反ガスパス側Ｄｗｈａとする。
【００４０】
プラットフォーム６０のガスパス面６１は、翼高さ方向Ｄｗｈに対して垂直な成分を有する方向に広がる面である。一対の側端面６３は、いずれも、幅方向Ｄｗｐに対して垂直な成分を有する方向に広がり、ガスパス面６１につながっている。また、一対の前後端面６４は、いずれも、翼弦方向Ｄｗｃに対して垂直な成分を有する方向に広がり、ガスパス面６１につながっている。一対の側端面６３のうち、一方の側端面６３は背側端面６３ｎを成し、他方の側端面６３は腹側端面６３ｐを成す。背側端面６３ｎは、腹側端面６３ｐに対して背側Ｄｐｎに存在する。また、一対の前後端面６４のうち、一方の前後端面６４は前端面６４ｆを成し、他方の前後端面６４は後端面６４ｂを成す。前端面６４ｆは、後端面６４ｂに対して前側Ｄｃｆに存在する。背側端面６３ｎと腹側端面６３ｐとは平行である。また、前端面６４ｆと後端面６４ｂとは平行である。このため、プラットフォーム６０を翼高さ方向Ｄｗｈから見ると、図４に示すように、平行四辺形を成している。動翼５０がロータ軸４２に取り付けられた状態では、前端面６４ｆ及び後端面６４ｂは、軸方向Ｄａに垂直な面になる。また、この状態では、前端面６４ｆは、後端面６４ｂに対して、軸方向Ｄａの上流側Ｄａｕに位置する。
【００４１】
軸取付部９０は、図２に示すように、プラットフォーム６０から、翼高さ方向Ｄｗｈで翼体５１と反対側、つまり反ガスパス側Ｄｗｈａに延びるシャンク９１と、シャンク９１から反ガスパス側Ｄｗｈａに延びる翼根９２と、を有する。翼根９２は、翼弦Ｌｃｏに対して垂直な断面形状がクリスマスツリー形状を成している。この翼根９２は、ロータ軸４２（図１参照）の翼根溝（不図示）に嵌り込む。
【００４２】
動翼５０には、図２〜図４に示すように、翼高さ方向Ｄｗｈに延びる複数の翼通路７１が形成されている。各翼通路７１は、いずれも、翼体５１、プラットフォーム６０、軸取付部９０にかけて連なって形成されている。複数の翼通路７１は、翼体５１のキャンバーラインＬｃａ（図４参照）に沿って並んでいる。隣接する翼通路７１は、翼高さ方向Ｄｗｈの端の部分で互いに連通している。また、複数の翼通路７１のうち、少なくとも一の翼通路７１は、翼根９２の翼高さ方向Ｄｗｈの端で開口している。この翼通路７１には、ロータ軸４２に形成されている冷却空気通路からの冷却空気Ａｃがこの開口から流入する。
【００４３】
本実施形態の動翼５０は、例えば、三つの翼通路７１が形成されている。これらの三つの翼通路７１のうち、最も前側Ｄｗｆの翼通路７１を第一翼通路７１ａ、この第一翼通路７１ａの後側Ｄｗｂに隣接する翼通路７１を第二翼通路７１ｂ、この第二翼通路７１ｂの後側Ｄｗｂに隣接する翼通路７１を第三翼通路７１ｃとする。第三翼通路７１ｃは、翼根９２の翼高さ方向Ｄｗｈにおける反ガスパス側Ｄｈａの端で開口している。第三翼通路７１ｃと第二翼通路７１ｂとは、翼高さ方向Ｄｗｈにおけるガスパス側Ｄｗｈｐの部分で連通している。また、第二翼通路７１ｂと第一翼通路７１ａとは、翼高さ方向Ｄｗｈにおける反ガスパス側Ｄｗｈａの部分で連通している。翼通路７１には、翼体５１の外面で開口する複数の翼面噴出通路７２が形成されている。例えば、第三翼通路７１ｃには、この第三翼通路７１ｃから後側Ｄｗｂに延びて、翼体５１の外面で開口する複数の翼面噴出通路７２が形成されている。また、第一翼通路７１ａには、この第一翼通路７１ａからの前側Ｄｗｆに延びて、翼体５１の外面で開口する複数の翼面噴出通路７２が形成されている。
【００４４】
翼体５１は、翼通路７１内を冷却空気Ａｃが流れる過程で対流冷却される。また、翼通路７１に流入した冷却空気Ａｃは、翼面噴出通路７２に流入し、この翼面噴出通路７２から燃焼ガス流路４９内に流出する。このため、翼体５１の前縁５２及び後縁５３等は、冷却空気Ａｃが翼面噴出通路７２を流れる過程で冷却される。さらに、翼面噴出通路７２から燃焼ガス流路４９に流出した冷却空気Ａｃの一部は、翼体５１の表面を部分的に覆ってフィルム空気としての役目も果たす。
【００４５】
プラットフォーム６０には、このプラットフォーム６０内をガスパス面６１に沿った方向に延びるプラットフォーム通路８１が形成されている。プラットフォーム通路８１としては、図４に示すように、翼体５１を基準にして背側Ｄｐｎに形成されている背側プラットフォーム通路８１ｎと、翼体５１を基準にして腹側Ｄｐｐに形成されている腹側プラットフォーム通路８１ｐと、がある。
【００４６】
背側プラットフォーム通路８１ｎは、流入通路８２ｎと、側端通路８３ｎと、サーペンタイン第一通路８４ｎと、サーペンタイン第二通路８５ｎと、を有する。
【００４７】
流入通路８２ｎは、第一翼通路７１ａの内面のうちで背側Ｄｐｎの内面から、背側Ｄｐｎに背側端面６３ｎの近傍位置まで延びる。側端通路８３ｎは、流入通路８２ｎの背側Ｄｐｎの端から背側端面６３ｎに沿って後側Ｄｗｂに延びる。サーペンタイン第一通路８４ｎは、側端通路８３ｎの後側Ｄｗｂの端から腹側Ｄｐｐに延びる。サーペンタイン第二通路８５ｎは、サーペンタイン第一通路８４ｎの腹側Ｄｐｐの端から背側Ｄｐｎに延びている。このサーペンタイン第二通路８５ｎは、プラットフォームの６０の背側端面６３ｎで開口している。サーペンタイン第一通路８４ｎ及びサーペンタイン第二通路８５ｎは、いずれも、後端面６４ｂに沿った方向に延びている。サーペンタイン第一通路８４ｎとサーペンタイン第二通路８５ｎとは、後端面６４ｂに対する遠近方向に並んでいる。なお、本願において、二つの通路が端面に対する遠近方向に並んでいるとは、二つの通路における端面からの距離が互いに異なり、且つ端面に対する遠近方向から見て二つの通路の一部が重なっていることである。サーペンタイン第二通路８５ｎは、後端面６４ｂに対して、サーペンタイン第一通路８４ｎよりも近い側に位置し、外側通路を成す。また、サーペンタイン第一通路８４ｎは、後端面６４ｂに対して、サーペンタイン第二通路８５ｎよりも遠い側に位置し、内側通路を成す。サーペンタイン第一通路８４ｎとサーペンタイン第二通路８５ｎとは、それぞれの腹側Ｄｐｐの端で互いに連通している。よって、サーペンタイン第一通路８４ｎとサーペンタイン第二通路８５ｎとで、後端面６４ｂに沿った方向に蛇行した一のサーペンタイン通路を成す。なお、端板であるプラットフォームの後端面６４ｂは、サーペンタイン第一通路８４ｎ及びサーペンタイン第二通路８５ｎに対する部分端面を成す。
【００４８】
腹側プラットフォーム通路８１ｐは、流入通路８２ｐと、サーペンタイン第一通路８３ｐと、サーペンタイン第二通路８４ｐと、サーペンタイン第三通路８５ｐと、を有する。
【００４９】
流入通路８２ｐは、第一翼通路７１ａの内面のうちで腹側Ｄｐｐの内面から、腹側Ｄｐｐに延びている。サーペンタイン第一通路８３ｐは、流入通路８２ｐの腹側Ｄｐｐの端から後側Ｄｗｂに延びている。サーペンタイン第二通路８４ｐは、サーペンタイン第一通路８３ｐの後側Ｄｗｂの端から前側Ｄｗｆに延びている。サーペンタイン第三通路８５ｐは、サーペンタイン第二通路８４ｐの前側Ｄｗｆの端から後側Ｄｗｂに延びている。このサーペンタイン第三通路８５ｐは、プラットフォームの後端面６４ｂで開口している。サーペンタイン第一通路８３ｐ、サーペンタイン第二通路８４ｐ、及びサーペンタイン第三通路８５ｐは、いずれも、腹側端面６３ｐに沿った方向に延びている。サーペンタイン第一通路８３ｐとサーペンタイン第二通路８４ｐとサーペンタイン第三通路８５ｐとは、腹側端面６３ｐに対する遠近方向に並んでいる。サーペンタイン第三通路８５ｐは、腹側端面６３ｐに対して、サーペンタイン第一通路８３ｐ及び第二サーペンタイン通路よりも近い側に位置し、外側通路を成す。また、サーペンタイン第二通路８４ｐは、腹側端面６３ｐに対して、サーペンタイン第三通路８５ｐよりも遠い側に位置し、内側通路を成す。サーペンタイン第一通路８３ｐは、腹側端面６３ｐに対して、サーペンタイン第二通路８４ｐより遠い側に位置し、内側通路を成す。サーペンタイン第一通路８３ｐとサーペンタイン第二通路８４ｐとは、それぞれの後側Ｄｗｂの端で互いに連通している。また、サーペンタイン第二通路８４ｐとサーペンタイン第三通路８５ｐとは、それぞれの前側Ｄｗｆの端で互いに連通している。よって、サーペンタイン第一通路８３ｐとサーペンタイン第二通路８４ｐとサーペンタイン第三通路８５ｐとで、腹側端面６３ｐに沿った方向に蛇行した一のサーペンタイン通路を成す。なお、端板であるプラットフォーム６０の腹側端面６３ｐは、サーペンタイン第一通路８３ｐ、サーペンタイン第二通路８４ｐ及びサーペンタイン第三通路８５ｐに対する部分端面を成す。
【００５０】
プラットフォーム６０には、さらに、側端巾木孔７５ｎと、背側第一巾木孔７６ｎと、背側第二巾木孔７７ｎと、腹側第一巾木孔７５ｐと、腹側第二巾木孔７６ｐと、腹側第三巾木孔７７ｐとが形成されている。
【００５１】
側端巾木孔７５ｎは、プラットフォーム通路８１における側端通路８３ｎに連通している。この側端巾木孔７５ｎは、側端通路８３ｎから反ガスパス側Ｄｗｈａに延び、プラットフォーム６０の反ガスパス面６２で開口している。背側第一巾木孔７６ｎは、背側プラットフォーム通路８１ｎにおけるサーペンタイン第一通路８４ｎに連通している。この背側第一巾木孔７６ｎは、このサーペンタイン第一通路８４ｎから後側Ｄｗｂに延び、プラットフォーム６０の後端面６４ｂで開口している。背側第二巾木孔７７ｎは、背側プラットフォーム通路８１ｎにおけるサーペンタイン第二通路８５ｎに連通している。この背側第二巾木孔７７ｎは、このサーペンタイン第二通路８５ｎから後側Ｄｗｂに延び、プラットフォーム６０の後端面６４ｂで開口している。腹側第一巾木孔７５ｐは、腹側プラットフォーム通路８１ｐにおけるサーペンタイン第一通路８３ｐに連通している。この腹側第一巾木孔７５ｐは、このサーペンタイン第一通路８３ｐから腹側Ｄｐｐに延び、プラットフォーム６０の腹側端面６３ｐで開口している。腹側第二巾木孔７６ｐは、腹側プラットフォーム通路８１ｐにおけるサーペンタイン第二通路８４ｐに連通している。この腹側第二巾木孔７６ｐは、このサーペンタイン第二通路８４ｐから腹側Ｄｐｐに延び、プラットフォーム６０の腹側端面６３ｐで開口している。腹側第三巾木孔７７ｐは腹側プラットフォーム通路８１ｐにおけるサーペンタイン第三通路８５ｐに連通している。この腹側第三巾木孔７７ｐは、このサーペンタイン第三通路８５ｐから反ガスパス側Ｄｗｈａに延び、プラットフォーム６０の反ガスパス面６２で開口している。プラットフォーム６０における各巾木孔の開口は、プラグ７８により塞がれている。
【００５２】
なお、ここでの側端巾木孔７５ｎは、プラットフォーム６０の反ガスパス面６２で開口している。しかしながら、側端巾木孔７５ｎは、側端通路８３ｎから背側Ｄｐｎに延び、プラットフォーム６０の背側端面６３ｎで開口していてもよい。また、ここでの腹側第三巾木孔７７ｐも、プラットフォーム６０の反ガスパス面６２で開口している。しかしながら、腹側第三巾木孔７７ｐは、腹側プラットフォーム通路８１ｐにおけるサーペンタイン第三通路８５ｐから腹側Ｄｐｐに延び、プラットフォーム６０の腹側端面６３ｐで開口していてもよい。
【００５３】
図５に示すように、腹側第一巾木孔７５ｐは、腹側プラットフォーム通路８１ｐにおけるサーペンタイン第一通路８３ｐから反ガスパス側Ｄｗｈａに延びる第一延在部７５ｐａと、第一延在部７５ｐａにおける反ガスパス側Ｄｗｈａの端部から腹側Ｄｐｐに延びて、腹側端面６３ｐで開口する第二延在部７５ｐｂと、を有する。この第二延在部７５ｐｂは、腹側プラットフォーム通路８１ｐにおけるサーペンタイン第二通路８４ｐ及びサーペンタイン第三通路８５ｐに対して反ガスパス側Ｄｗｈａを通っている。よって、翼高さ方向Ｄｗｈから見た場合、図４に示すように、腹側第一巾木孔７５ｐの第二延在部７５ｐｂは、腹側プラットフォーム通路８１ｐにおけるサーペンタイン第二通路８４ｐ及びサーペンタイン第三通路８５ｐと一部が重なっている。言い換えると、翼高さ方向Ｄｗｈから見た場合、腹側第一巾木孔７５ｐの第二延在部７５ｐｂは、腹側プラットフォーム通路８１ｐにおけるサーペンタイン第二通路８４ｐ及びサーペンタイン第三通路８５ｐと交差しているように見える。第二延在部７５ｐｂにおける背側端面６３ｎの開口は、前述したようにプラグ７８で塞がれている。このプラグ７８は、プラットフォーム６０に溶接等で接合されている。このプラグ７８には、腹側第一巾木孔７５ｐから冷却空気を外部に噴出する貫通孔７９が形成されている。
【００５４】
腹側第二巾木孔７６ｐも、腹側第一巾木孔７５ｐと同様、図示されていないが、腹側プラットフォーム通路８１ｐにおけるサーペンタイン第二通路８４ｐから反ガスパス側Ｄｗｈａに延びる第一延在部と、第一延在部における反ガスパス側Ｄｗｈａの端部から腹側Ｄｐｐに延びて、腹側端面６３ｐで開口する第二延在部と、を有する。この第二延在部も、腹側第一巾木孔７５ｐの第二延在部７５ｐｂと同様、腹側プラットフォーム通路８１ｐにおけるサーペンタイン第三通路８５ｐに対して反ガスパス側Ｄｗｈａを通っている。よって、翼高さ方向Ｄｗｈから見た場合、図４に示すように、腹側第二巾木孔７６ｐの第二延在部７５ｐｂは、腹側プラットフォーム通路８１ｐにおけるサーペンタイン第三通路８５ｐと交差しているように見える。
【００５５】
背側第一巾木孔７６ｎは、図示されていないが、背側プラットフォーム通路８１ｎにおけるサーペンタイン第一通路８４ｎから反ガスパス側Ｄｗｈａに延びる第一延在部と、第一延在部における反ガスパス側Ｄｗｈａの端部から後側Ｄｗｂに延びて、後端面６４ｂで開口する第二延在部と、を有する。この第二延在部は、背側プラットフォーム通路８１ｎにおけるサーペンタイン第二通路８５ｎに対して反ガスパス側Ｄｗｈａを通っている。よって、翼高さ方向Ｄｗｈから見た場合、図４に示すように、背側第一巾木孔７６ｎの第二延在部は、背側プラットフォーム通路８１ｎにおけるサーペンタイン第二通路８５ｎと交差しているように見える。
【００５６】
次に、以上で説明した動翼５０の製造方法について、図６に示すフローチャートに従って説明する。
【００５７】
まず、鋳造により動翼５０の中間品を形成する（Ｓ１：中間品形成工程）。この中間品形成工程（Ｓ１）では、鋳型形成工程（Ｓ２）、中子形成工程（Ｓ３）、鋳込み工程（Ｓ４）、及び中子溶解工程（Ｓ５）を実行する。
【００５８】
鋳型形成工程（Ｓ２）では、動翼５０の外形状にあった内部空間が形成されている鋳型を形成する。この鋳型形成工程（Ｓ２）では、例えば、ロストワックス法で鋳型を形成する。ロストワックス法では、まず、動翼５０の外形状を再現したワックス模型を形成する。次に、耐火粉末等を含むスラリー中にワックス模型を入れてから、このスラリーを乾燥させる。そして、乾燥後のスラリーからワックス模型を取り除いて、これを鋳型とする。
【００５９】
中子形成工程（Ｓ３）では、翼通路７１の形状にあった外形状の翼通路中子、プラットフォーム通路８１の形状にあった外形状のプラットフォーム通路中子、各巾木孔の形状にあった外形状の巾木中子を形成する。プラットフォーム通路中子として、腹側プラットフォーム通路８１ｐに形状にあった外形状の腹側プラットフォーム通路中子と、背側プラットフォーム通路８１ｎに形状にあった外形状の背側プラットフォーム通路中子とがある。巾木中子として、側端巾木孔７５ｎの形状にあった外形状の側端巾木中子、背側第一巾木孔７６ｎの形状にあった背側第一巾木中子、及び背側第二巾木孔７７ｎの形状にあった外形状の背側第二巾木中子がある。これらの巾木中子は、いずれも、背側プラットフォーム通路中子と一体形成される。さらに、巾木中子として、腹側第一巾木孔７５ｐの形状にあった外形状の腹側第一巾木中子、腹側第二巾木孔７６ｐの形状にあった外形状の腹側第二巾木中子、及び腹側第三巾木孔７７ｐの形状にあった外形状の腹側第三巾木中子がある。これらの巾木中子は、いずれも、腹側プラットフォーム通路中子と一体形成される。各中子は、いずれも、アルミナ等のセラミックスで形成される。この中子形成工程（Ｓ３）は、鋳型形成工程（Ｓ２）と並行して実行してもよいし、鋳型形成工程（Ｓ２）に対して前後して実行してもよい。
【００６０】
鋳込み工程（Ｓ４）では、図７に示すように、鋳型９５内に、翼通路中子９６、プラットフォーム通路中子９７、巾木中子９８を配置して、鋳型９５内に溶融金属を流し込む。溶融金属は、例えば、耐熱性の高いニッケル基合金等の溶融物である。鋳型９５には、その内面から外面側に凹み、巾木中子９８の端部が挿入される中子保持穴９５ａが形成されている。巾木中子９８の端部は、この中子保持穴９５ａに挿入される。このため、巾木中子９８は、鋳型９５に保持される。プラットフォーム通路中子９７は、前述したように、巾木中子９８と一体である。このため、プラットフォーム通路中子９７は、巾木中子９８を介して、鋳型９５に保持される。すなわち、巾木中子９８は、鋳型９５内でのプラットフォーム通路中子９７の位置を定め、この位置を保持するための役目を担っている。
【００６１】
鋳型９５内に流し込んだ溶融金属が硬化すると、中子溶解工程（Ｓ５）を実行する。この中子溶解工程（Ｓ５）では、アルカリ水溶液でセラミックス製の各中子を溶解する。この際、各巾木中子で形成される巾木孔は、アルカリ水溶液をプラットフォーム通路中子で形成されているプラットフォーム通路に導く一方で、このアルカリ水溶液を外部に排出する役目を担う。
【００６２】
以上で、中間品形成工程（Ｓ１）が終了し、動翼５０の中間品が出来上がる。
【００６３】
次に、プラットホーム６０の端面における各中子孔の開口をプラグ７８で塞ぐ（Ｓ６：封止工程）。この封止工程（Ｓ６）では、プラットフォーム６０中でプラグ７８を取り付ける部分に機械加工等で下穴を形成し、この下穴にプラグ７８を差し込む。そして、このプラグ７８をプラットフォーム６０に溶接等で接合する。なお、下穴の内径は、通常、中子孔の内径よりも大きく形成される。
【００６４】
なお、中間品に形成されている翼通路７１とプラットフォーム通路８１とが連通していない場合には、この封止工程（Ｓ６）と前後して、電解加工又は放電加工等で、翼通路７１とプラットフォーム通路８１と連通させる連通孔を形成する。
【００６５】
次に、封止工程（Ｓ６）を経た中間品に対して仕上げ処理を施して、動翼５０を完成させる（Ｓ７：仕上工程）。仕上工程（Ｓ７）では、例えば、中間品の外面を研磨する。また、必要に応じて、中間品の外面に耐熱コーティングを施す。
【００６６】
次に、本実施形態の動翼５０の効果について説明する。まず、比較例の動翼５０ｚについて説明する。
【００６７】
比較例の動翼５０ｚも、図８に示すように、翼体５１とプラットフォーム６０と軸取付部９０とを有する。翼体５１、プラットフォーム６０及び軸取付部９０には、内部を翼高さ方向Ｄｗｈに延びて、冷却空気Ａｃが流れる翼通路７１が形成されている。プラットフォーム６０には、翼高さ方向Ｄｗｈを向いて燃焼ガスに接するガスパス面６１と、ガスパス面６１と背合わせの関係にある反ガスパス面６２と、が形成されている。さらに、このプラットフォーム６０には、ガスパス面６１に沿った方向に延びるプラットフォーム通路８１ｚと、巾木孔７５ｚと、が形成されている。比較例におけるプラットフォーム通路８１ｚは、図４及び図５に示す本実施形態の腹側プラットフォーム通路８１ｐと同じ構成である。すなわち、比較例のプラットフォーム通路８１ｚは、腹側端面６３ｐに沿った方向に延びるサーペンタイン第一通路８３ｐとサーペンタイン第二通路８４ｐとサーペンタイン第三通路８５ｐとを有している。サーペンタイン第一通路８３ｐとサーペンタイン第二通路８４ｐとサーペンタイン第三通路８５ｐとで、腹側端面６３ｐに沿った方向に蛇行した一のサーペンタイン通路を成す。
【００６８】
内側通路であるサーペンタイン第一通路８３ｐには、図５に示す本実施形態のサーペンタイン第一通路８３ｐと同様、巾木孔７５ｚが連通している。但し、この巾木孔７５ｚは、サーペンタイン第一通路８３ｐから反ガスパス側Ｄｗｈａに直線的に延び、プラットフォーム６０と軸取付部９０との境目付近で開口している。
【００６９】
動翼５０における翼体５１の先端は、自由端であり、この翼体５１には、遠心力の他、燃焼ガスからの力が作用する。一方、動翼５０の軸取付部９０は、ロータ軸４２（図１参照）に固定される。このため、軸取付部９０とプラットフォーム６０との境目付近には、高い応力が発生する。そこで、多くの動翼５０では、軸取付部９０とプラットフォーム６０との境目付近に発生する応力を緩和するため、軸取付部９０のシャンク９１は、プラットフォーム６０に近づくに連れて次第に幅方向Ｄｗｐの厚さが厚くなっている。よって、シャンク９１の腹側Ｄｐｐの表面は、プラットフォーム６０の反ガスパス面６２に近づくに連れて、次第にプラットフォーム６０の腹側Ｄｐｐに向かうよう滑らかな曲面を成している。しかしながら、軸取付部９０とプラットフォーム６０との境目付近には、例えば、プラットフォーム６０の腹側Ｄｐｐの端等に比べて、高い応力が発生する。このため、このような部分に、巾木孔７５ｚの開口が形成されていると、この部分に応力が発生する。しかも、開口の近傍は、応力集中し易い。さらに、曲面中に巾木孔７５ｚの開口が形成されていると、この曲面と巾木孔７５ｚの内周面とがなす角αの角度が鋭角になる部分が生じ、この部分にはより高い応力が発生する。
【００７０】
したがって、比較例の動翼５０ｚでは、巾木孔７５ｚの開口近傍が損傷し易い。
【００７１】
一方、本実施形態では、図５に示すように、内側通路であるサーペンタイン第一通路８３ｐに連通している腹側第一巾木孔７５ｐが、プラットフォーム６０の腹側端面６３ｐで開口している。このため、本実施形態でも、この腹側第一巾木孔７５ｐの開口が形成されている部分に応力が発生する。しかしながら、プラットフォーム６０の外周側部分は、実質的に自由端であるため、プラットフォーム６０の腹側端面６３ｐを含む側端に発生する、遠心力やガスフォースに起因する応力が極めて小さい。また、この腹側端面６３ｐと腹側第一巾木孔７５ｐの内面とがなす角の角度は、ほぼ９０°で鋭角にならず、腹側第一巾木孔７５ｐの開口周りに高い応力が発生しない。よって、本実施形態では、腹側第一巾木孔７５ｐの開口近傍の損傷を抑えることができる。
【００７２】
さらに、本実施形態では、サーペンタイン第一通路８３ｐを流れる冷却空気が、腹側第一巾木孔７５ｐ、プラグ７８の貫通孔７９を介して、プラットフォーム６０の腹側端面６３ｐから噴出する。すなわち、本実施形態では、腹側第一巾木孔７５ｐを冷却空気Ａｃが通る空気通路として利用する。プラットフォーム６０の腹側端面６３ｐから噴出した冷却空気Ａｃは、この腹側端面６３ｐを冷却すると共に、この静翼の腹側Ｄｐｐに隣接する他の静翼の背側端面６３ｎを冷却する。よって、本実施形態では、比較例よりも、プラットフォーム６０の腹側端面６３ｐを冷却することができる。また、本実施形態では、プラグ７８の貫通孔７９の内径を適宜調節することで、腹側端面６３ｐから噴出する冷却空気Ａｃの流量を適宜調節することができる。よって、本実施形態では、、冷却空気Ａｃの使用量を抑えつつ、腹側端面６３ｐを適正に冷却することができる。
【００７３】
また、本実施形態の腹側第二巾木孔７６ｐも、以上で説明した腹側第一巾木孔７５ｐと同様、プラットフォーム６０の腹側端面６３ｐで開口している。このため、腹側第二巾木孔７６ｐの開口近傍の損傷を抑えることができると共に、プラットフォーム６０の腹側端面６３ｐを冷却することができる。さらに、本実施形態の背側第一巾木孔７６ｎは、プラットフォーム６０の後端面６４ｂで開口している。このため、背側第一巾木孔７６ｎの開口近傍の損傷を抑えることができると共に、プラットフォーム６０の後端面６４ｂを冷却することができる。
【００７４】
以上のように、本実施形態では、巾木孔の形成に伴う動翼５０の損傷を抑えることができる。さらに、本実施形態では、プラットフォーム６０の端面の一部を冷却することができる。
【００７５】
なお、本実施形態では、背側プラットフォーム通路８１ｎはサーペンタイン通路を有している。しかしながら、背側プラットフォーム通路８１ｎは、サーペンタイン通路を有さなくてもよい。また、本実施形態では、背側プラットフォーム通路８１ｎの後側Ｄｗｂの部分がサーペンタイン通路を成している。しかしながら、背側プラットフォーム通路８１ｎの前側Ｄｗｆの部分も、又は前側Ｄｗｆの部分のみサーペンタイン通路を成すようにしてもよい。さらに、背側プラットフォーム通路８１ｎのサーペンタイン通路は、プラットフォーム６０の背側端面６３ｎや前端面６４ｆに沿った方向に蛇行していてもよい。この場合、このサーペンタイン通路の一部である内側通路に連通する巾木孔は、背側端面６３ｎ又は前端面６４ｆで開口する。また、本実施形態の腹側プラットフォーム通路８１ｐにおけるサーペンタイン通路は、腹側端面６３ｐに沿った方向に蛇行している。しかしながら、腹側プラットフォーム通路８１ｐにおけるサーペンタイン通路は、プラットフォーム６０の前端面６４ｆ又は後端面６４ｂに沿った方向に蛇行していてもよい。この場合、このサーペンタイン通路の一部である内側通路に連通する巾木孔は、前端面６４ｆ又は後端面６４ｂで開口する。
【００７６】
「動翼の第一変形例」
上記実施形態における動翼の第一変形例について、図９を参照して説明する。
【００７７】
本変形例の動翼５０ａでは、プラットフォーム６０の部分端面６３ｐにおける巾木孔７５ｐの開口をプラグ７８で塞がない。よって、本変形例では、プラットフォーム６０の部分端面６３ｐをより冷却することができる。
【００７８】
なお、プラットフォーム６０の部分端面６３ｐを、この部分端面６３ｐから噴出する冷却空気Ａｃで冷却する必要が無い場合、貫通孔７９が形成されていないプラグで、この部分端面６３ｐにおける巾木孔７５ｐの開口を塞いでもよい。
【００７９】
「動翼の第二変形例」
上記実施形態における動翼の第二変形例について、図１０を参照して説明する。
【００８０】
上記実施形態の巾木孔７５ｐは、図５に示すように、サーペンタイン通路における内側通路８３ｐから反ガスパス側Ｄｗｈａに延びる第一延在部７５ｐａと、第一延在部７５ｐａにおける反ガスパス側Ｄｗｈａの端部からプラットフォーム６０の部分端面６３ｐ側に延び、この部分端面６３ｐで開口する第二延在部７５ｐｂと、を有する。
【００８１】
本変形例の動翼５０ｂにおける巾木孔７５ｐｃは、サーペンタイン通路における内側通路８３ｐから、部分端面６３ｐに近づくに連れて次第に反ガスパス面６２の側に近付く側に直線的に延びる傾斜孔部７５ｐｄを有する。傾斜孔部７５ｐｄは、この部分端面６３ｐで開口する。
【００８２】
動翼に形成する空気通路は、内部にボアスコープが入れられて検査される場合がある。本変形例では、巾木孔７５ｐｃから容易に内側通路８３ｐ内にボアスコープを入れることができる。このため、本変形例では、内側通路８３ｐの検査を容易に行うことができる。
【００８３】
なお、本変形例においても、第一変形例と同様に、部分端面６３ｐにおける巾木孔７５ｐｃの開口をプラグで塞がなくてもよい。また、本変形例においても、プラグ７８には貫通孔７９が形成されていなくてもよい。
【００８４】
「動翼の第三変形例」
上記実施形態における動翼の第三変形例について、図１１を参照して説明する。
【００８５】
本変形例の動翼５０ｃにおける巾木孔７５ｐｅも、第二変形例の巾木孔７５ｐｃと同様に、サーペンタイン通路における内側通路８３ｐからプラットフォーム６０の部分端面６３ｐに向かって直線的に延びる孔である。但し、本変形例の巾木孔７５ｐｅは、第二変形例の巾木孔７５ｐｃと異なり、サーペンタイン通路における内側通路８３ｐから、ガスパス面６１とほぼ平行にプラットフォーム６０の部分端面６３ｐに向かって直線的に延びる孔である。
【００８６】
本変形例では、巾木孔７５ｐｅをガスパス面６１とほぼ平行にするため、サーペンタイン通路における内側通路８３ｐは、反ガスパス側Ｄｗｈａに膨張した膨張部８３ｐａを有する。巾木孔７５ｐｅは、この膨張部８３ｐａにおける内面のうちの部分端面６３ｐ側の内面から、ガスパス面６１とほぼ平行にプラットフォーム６０の部分端面６３ｐに向かって直線的に延びる。
【００８７】
本変形例でも、第二変形例と同様に、巾木孔７５ｐｅから容易に内側通路８３ｐ内にボアスコープを入れることができる。このため、本変形例でも、内側通路８３ｐの検査を容易に行うことができる。
【００８８】
なお、本変形例においても、第一変形例と同様に、部分端面６３ｐにおける巾木孔７５ｐｅの開口をプラグで塞がなくてもよい。また、本変形例においても、プラグ７８には貫通孔７９が形成されていなくてもよい。
【００８９】
また、上記実施形態及び上記第二変形例の内側通路８３ｐについても、本変形例の膨張部８３ｐａを有してもよい。上記実施形態の内側通路８３ｐが膨張部８３ｐａを有する場合、巾木孔７５ｐの第一延在部７５ｐａは、この膨張部８３ｐａから反ガスパス側Ｄｗｈａに延びる。また、上記第二変形例の内側通路８３ｐが膨張部８３ｐａを有する場合、巾木孔７５ｐｃの傾斜孔部７５ｐｄは、この膨張部８３ｐａから延びる。
【００９０】
「動翼の第四変形例」
上記実施形態における動翼の第四変形例について、図１２を参照して説明する。
【００９１】
本変形例の動翼５０ｄにおけるプラットフォーム６０には、腹側プラットフォーム通路として第一腹側プラットフォーム通路８１ｐａと第二腹側プラットフォーム通路８１ｐｂとがある。第一腹側プラットフォーム通路８１ｐａは、流入通路８２ｐａと、側端通路８３ｐａと、流出通路８４ｐａと、を有する。第二腹側プラットフォーム通路８１ｐｂは、流入通路８２ｐｂと、側端通路８３ｐｂと、流出通路８４ｐｂと、を有する。
【００９２】
第一腹側プラットフォーム通路８１ｐａの流入通路８２ｐａは、第一翼通路７１ａの内面のうちで腹側Ｄｐｐの内面から、腹側Ｄｐｐに腹側端面６３ｐの近傍位置まで延びる。第一腹側プラットフォーム通路８１ｐａの側端通路８３ｐａは、流入通路８２ｐａの腹側Ｄｐｐの端から腹側端面６３ｐに沿って後側Ｄｗｂに延びる。第一腹側プラットフォーム通路８１ｐａの流出通路８４ｐａは、側端通路８３ｐａの後側Ｄｗｂの端から腹側Ｄｐｐに延び、第三翼通路７１ｃに連通している。第二腹側プラットフォーム通路８１ｐｂの流入通路８２ｐｂは、第二翼通路７１ｂの内面のうちで腹側Ｄｐｐの内面から、腹側Ｄｐｐに延びる。第二腹側プラットフォーム通路８１ｐｂの側端通路８３ｐｂは、流入通路８２ｐｂの腹側Ｄｐｐの端から腹側端面６３ｐに沿って後側Ｄｗｂに延びる。第二腹側プラットフォーム通路８１ｐｂの流出通路８４ｐｂは、側端通路８３ｐｂの後側Ｄｗｂの端から腹側Ｄｐｐに延び、第三翼通路７１ｃに連通している。第一腹側プラットフォーム通路８１ｐａの側端通路８３ｐａと第二腹側プラットフォーム通路８１ｐｂの側端通路８３ｐｂとは、以上で説明したように、いずれも、腹側端面６３ｐに沿った方向に延びている。また、第一腹側プラットフォーム通路８１ｐａの側端通路８３ｐａと第二腹側プラットフォーム通路８１ｐｂの側端通路８３ｐｂとは、腹側端面６３ｐに対する遠近方向に並んでいる。第一腹側プラットフォーム通路８１ｐａの側端通路８３ｐａは、腹側端面６３ｐに対して、第二腹側プラットフォーム通路８１ｐｂの側端通路８３ｐｂよりも近い側に位置し、外側通路を成す。また、第二腹側プラットフォーム通路８１ｐｂの側端通路８３ｐｂは、腹側端面６３ｐに対して、第一腹側プラットフォーム通路８１ｐａの側端通路８３ｐａよりも遠い側に位置し、内側通路を成す。なお、端板であるプラットフォーム６０の腹側端面６３ｐは、第一腹側プラットフォーム通路８１ｐａの側端通路８３ｐａ及び第二腹側プラットフォーム通路８１ｐｂの側端通路８３ｐｂに対する部分端面を成す。
【００９３】
プラットフォーム６０には、さらに、側端巾木孔７７ｐと、腹側巾木孔７６ｐとが形成されている。
【００９４】
側端巾木孔７７ｐは、第一腹側プラットフォーム通路８１ｐａの側端通路８３ｐａに連通している。この側端巾木孔７７ｐは、側端通路８３ｐａから反ガスパス側Ｄｗｈａに延び、プラットフォーム６０の反ガスパス面６２で開口している。腹側巾木孔７６ｐは、第二腹側プラットフォーム通路８１ｐｂの側端通路８３ｐｂに連通している。この腹側巾木孔７６ｐは、第二腹側プラットフォーム通路８１ｐｂの側端通路８３ｐｂから腹側Ｄｐｐに延び、第一腹側プラットフォーム通路８１ｐａの側端通路８３ｐａに対して反ガスパス側Ｄｗｈａを通り、プラットフォーム６０の腹側端面６３ｐで開口している。よって、翼高さ方向Ｄｗｈから見た場合、この腹側巾木孔７６ｐは、第一腹側プラットフォーム通路８１ｐａの側端通路８３ｐａと交差しているように見える。各巾木孔７６ｐ，７７ｐの開口は、プラグ７８で塞がれている。
【００９５】
以上のように、二つの通路が端面に対して遠近方向に並んでいれば、この二つの通路が一つのサーペンタイン通路を形成しなくても、二つの通路のうちの内側通路から端面にまで延びる巾木孔を形成してもよい。
【００９６】
なお、本変形例では、第一実施形態における腹側プラットフォーム通路８１ｐを変更した例であるが、第一実施形態における背側プラットフォーム通路８１ｎを以上と同様に変更してもよい。また、本変形例においても、第一変形例と同様に、巾木孔の開口をプラグ７８で塞がなくてもよい。また、本変形例においても、巾木孔の形態として、第二変形例や第三変形例の形態を採用してもよい。
【００９７】
「動翼の第二実施形態」
動翼の第二実施形態について、図１３〜図１６を参照して説明する。
【００９８】
本実施形態の動翼１００は、図１３に示すように、翼形を成す翼体１５１と、翼体１５１の翼高さ方向Ｄｗｈの一方の端部に設けられているプラットフォーム１６０と、プラットフォーム１６０から翼体１５１と反対側に延びる軸取付部１９０と、を有する。さらに、この動翼１００は、翼体１５１の翼高さ方向Ｄｗｈの一方の端部に設けられているチップシュラウド１１０を有する。この動翼１００において、プラットフォーム１６０及びチップシュラウド１１０は、いずれも、翼体１５１の翼高さ方向Ｄｗｈの端に設けられている端板である。このような動翼１００は、例えば、タービンの複数の動翼列のうち、下流側の動翼列を構成する動翼として採用される。
【００９９】
本実施形態の動翼１００には、図１４に示すように、翼高さ方向Ｄｗｈに延びる複数の翼通路１７１が形成されている。各翼通路１７１は、チップシュラウド１１０、翼体１５１、プラットフォーム１６０、軸取付部１９０にかけて連なって形成されている。
【０１００】
プラットフォーム１６０には、図示されていないが、第一実施形態の動翼５０と同様、プラットフォーム通路、及び巾木孔が形成されている。
【０１０１】
チップシュラウド１１０は、翼高さ方向Ｄｗｈの端部から翼高さ方向Ｄｗｈに対して垂直な成分を有する方向に広がる板状のシュラウド本体１２０と、このシュラウド本体１２０に設けられている第一チップフィン１１１及び第二チップフィン１１２と、を有する。
【０１０２】
シュラウド本体１２０には、燃焼ガス流路４９側を向くガスパス面１２１と、ガスパス面１２１と背合わせの関係にある反ガスパス面１２２と、端面１２３，１２４と、が形成されている。シュラウド本体１２０のガスパス面１２１は、翼高さ方向Ｄｗｈに対して垂直な成分を有する方向に広がる面である。ここで、このシュラウド本体１２０においても、翼高さ方向Ｄｗｈで、反ガスパス面１２２に対してガスパス面１２１が存在する側をガスパス側Ｄｗｈｐ、反対側を反ガスパス側Ｄｗｈａとする。但し、この動翼１００がロータ軸に取り付けた状態では、プラットフォーム１６０におけるガスパス側Ｄｗｈｐが径方向外側Ｄｒｏになり、反ガスパス側Ｄｗｈａが径方向内側Ｄｒｉになるのに対して、シュラウド本体１２０におけるガスパス側Ｄｗｈｐは径方向内側Ｄｒｉになり、反ガスパス側Ｄｗｈａは径方向外側Ｄｒｏになる。
【０１０３】
第一チップフィン１１１及び第二チップフィン１１２は、いずれも、シュラウド本体１２０の反ガスパス面１２２から反ガスパス側Ｄｗｈａに突出している。第一チップフィン１１１及び第二チップフィン１１２は、いずれも、この動翼１００がロータ軸に取り付けた状態で、図１５に示すように、周方向Ｄｃに延びている。第一チップフィン１１１は、第二チップフィン１１２に対して前側Ｄｗｆに位置している。
【０１０４】
シュラウド本体１２０の端面１２３，１２４としては、翼弦方向Ｄｗｃで互いに相反する側を向く一対の前後端面１２４と、翼高さ方向Ｄｗｈ及び翼弦方向Ｄｗｃに垂直な成分を有する幅方向Ｄｗｐで互いに相反する側を向く一対の側端面１２３と、を有する。一対の前後端面１２４は、いずれも、翼弦方向Ｄｗｃに対して垂直な成分を有する方向に広がり、ガスパス面１２１につながっている。一対の前後端面１２４のうち、一方の前後端面１２４は前端面１２４ｆを成し、他方の前後端面１２４は後端面１２４ｂを成す。前端面１２４ｆは、後端面１２４ｂに対して前側Ｄｗｆに存在する。一対の前後端面１２４は、この動翼１００がロータ軸に取り付けられた状態で、周方向Ｄｃに延びている。
【０１０５】
一対の側端面１２３のうち、一方の側端面１２３は背側端面１２３ｎを成し、他方の側端面１２３は腹側端面１２３ｐを成す。背側端面１２３ｎは、腹側端面１２３ｐに対して背側Ｄｐｎに存在する。背側端面１２３ｎは、背側第一端面１２３ｎａ、背側第二端面１２３ｎｂ、背側第三端面１２３ｎｃを有する。また、腹側端面１２３ｐは、腹側第一端面１２３ｐａ、腹側第二端面１２３ｐｂ、腹側第三端面１２３ｐｃを有する。背側第一端面１２３ｎａと腹側第一端面１２３ｐａとは、互いに平行である。背側第二端面１２３ｎｂと腹側第二端面１２３ｐｂとは、互いに平行である。背側第三端面１２３ｎｃと腹側第三端面１２３ｐｃとは、互いに平行である。背側第一端面１２３ｎａ及び腹側第一端面１２３ｐａは、いずれも、実質的に翼弦方向Ｄｗｃに延びている。背側第二端面１２３ｎｂは、背側第一端面１２３ｎａの後側Ｄｗｂの端から実質的に背側Ｄｐｎに延びている。腹側第二端面１２３ｐｂは、腹側第一端面１２３ｐａの後側Ｄｗｂの端から実質的に腹側Ｄｐｎに延びている。背側第三端面１２３ｎｃは、背側第二端面１２３ｎｂの背側Ｄｐｎの端から実質的に翼弦方向Ｄｗｃに延びている。腹側第三端面１２３ｐｃは、腹側第二端面１２３ｐｂの背側Ｄｐｎの端から実質的に翼弦方向Ｄｗｃに延びている。なお、実質的に翼弦方向Ｄｗｃに延びているとは、面が延びている方向成分として、翼弦方向Ｄｗｃ成分、翼高方向Ｄｗｈ成分、及び幅方向Ｄｗｐ成分のうち、翼弦方向Ｄｗｃ成分が最も多いことをいう。
【０１０６】
シュラウド本体１２０には、図１４に示すように、四つの翼通路１７１が至っている。四つの翼通路１７１は、翼体１５１のキャンバーラインに沿って並んでいる。このシュラウド本体１２０には、図１６に示すように、シュラウド通路１８１と、巾木孔１７５と、が形成されている。
【０１０７】
シュラウド通路１８１としては、第一背側シュラウド通路１８２ｎと、第二背側シュラウド通路１８３ｎと、第一腹側シュラウド通路１８２ｐと、第二腹側シュラウド通路１８６ｐと、がある。
【０１０８】
第一背側シュラウド通路１８２ｎは、四つの翼通路１７１のうちで前側Ｄｗｆから二番目の第二翼通路１７１ｂに連通している。この第一背側シュラウド通路１８２ｎは、第二翼通路１７１ｂから背側第一端面１２３ｎａに向かって直線的に延び、この背側第一端面１２３ｎａで開口している。
【０１０９】
第二背側シュラウド通路１８３ｎは、サーペンタイン第一通路１８４ｎと、サーペンタイン第二通路１８５ｎと、を有する。
【０１１０】
サーペンタイン第一通路１８４ｎ及びサーペンタイン第二通路１８５ｎは、いずれも、後端面１２４ｂに沿った方向に延びている。サーペンタイン第一通路１８４ｎとサーペンタイン第二通路１８５ｎとは、後端面１２４ｂに対する遠近方向に並んでいる。サーペンタイン第二通路１８５ｎは、後端面１２４ｂに対して、サーペンタイン第一通路１８４ｎよりも近い側に位置し、外側通路を成す。また、サーペンタイン第一通路１８４ｎは、後端面１２４ｂに対して、サーペンタイン第二通路１８５ｎよりも遠い側に位置し、内側通路を成す。サーペンタイン第一通路１８４ｎとサーペンタイン第二通路１８５ｎとは、それぞれの背側Ｄｐｎの端で互いに連通している。よって、サーペンタイン第一通路１８４ｎとサーペンタイン第二通路１８５ｎとで、後端面１２４ｂに沿った方向に蛇行した一のサーペンタイン通路を成す。サーペンタイン第二通路１８５ｎは、シュラウド本体１２０の後端面１２４ｂで開口している。なお、端板であるチップシュラウド１１０の後端面１２４ｂは、サーペンタイン第一通路１８４ｎ及びサーペンタイン第二通路１８５ｎに対する部分端面を成す。サーペンタイン第一通路１８４ｎにおける腹側Ｄｐｐの端は、四つの翼通路１７１のうちで、最も後側Ｄｗｂの第四翼通路１７１ｄに連通している。
【０１１１】
第一腹側シュラウド通路１８２ｐは、サーペンタイン第一通路１８３ｐと、サーペンタイン第二通路１８４ｐと、サーペンタイン第三通路１８５ｐと、を有する。
【０１１２】
サーペンタイン第一通路１８３ｐ、サーペンタイン第二通路１８４ｐ、サーペンタイン第三通路１８５ｐは、いずれも、前端面１２４ｆに沿った方向に延びている。サーペンタイン第一通路１８３ｐとサーペンタイン第二通路１８４ｐとサーペンタイン第三通路１８５ｐとは、前端面１２４ｆに対する遠近方向に並んでいる。サーペンタイン第一通路１８３ｐは、前端面１２４ｆに対して、サーペンタイン第二通路１８４ｐ及びサーペンタイン第三通路１８５ｐよりも近い側に位置し、外側通路を成す。また、サーペンタイン第二通路１８４ｐは、前端面１２４ｆに対して、サーペンタイン第一通路１８３ｐよりも遠い側に位置し、内側通路を成す。サーペンタイン第三通路１８５ｐは、前端面１２４ｆに対して、サーペンタイン第二通路１８４ｐより遠い側に位置し、内側通路を成す。サーペンタイン第一通路１８３ｐにおける背側Ｄｐｎの端は、四つの翼通路１７１のうちで、最も前側Ｄｗｆの第一翼通路１７１ａに連通している。サーペンタイン第一通路１８３ｐとサーペンタイン第二通路１８４ｐとは、それぞれの腹側Ｄｐｐの端で互いに連通している。また、サーペンタイン第二通路１８４ｐとサーペンタイン第三通路１８５ｐとは、それぞれの背側Ｄｐｎの端で互いに連通している。よって、サーペンタイン第一通路１８３ｐとサーペンタイン第二通路１８４ｐとサーペンタイン第三通路１８５ｐとで、前端面１２４ｆに沿った方向に蛇行した一のサーペンタイン通路を成す。サーペンタイン第三通路１８５ｐは、シュラウド本体１２０の腹側第一端面１２３ｐａで開口している。なお、端板であるチップシュラウド１１０の前端面１２４ｆは、サーペンタイン第一通路１８３ｐ、サーペンタイン第二通路１８４ｐ及びサーペンタイン第三通路１８５ｐに対する部分端面を成す。
【０１１３】
第二腹側シュラウド通路１８６ｐは、四つの翼通路１７１のうち、前側Ｄｗｆから三番目の第三翼通路１７１ｃに連通している。この第二腹側シュラウド通路１８６ｐは、第三翼通路１７１ｃから腹側第二端面１２３ｐｂに向かって直線的に延び、この腹側第二端面１２３ｐｂで開口している。
【０１１４】
巾木孔１７５としては、背側第一巾木孔１７６ｎと、背側第二巾木孔１７７ｎと、腹側第一巾木孔１７６ｐと、腹側第二巾木孔１７７ｐと、腹側第三巾木孔１７８ｐと、がある。
【０１１５】
背側第一巾木孔１７６ｎは、第二背側シュラウド通路１８３ｎにおけるサーペンタイン第一通路１８４ｎに連通している。この背側第一巾木孔１７６ｎは、サーペンタイン第一通路１８４ｎから後側Ｄｗｂに延び、シュラウド本体１２０の後端面１２４ｂで開口している。この背側第一巾木孔１７６ｎは、第二背側シュラウド通路１８３ｎにおけるサーペンタイン第二通路１８５ｎよりも反ガスパス側Ｄｗｈａを通っている。よって、翼高さ方向Ｄｗｈから見た場合、この背側第一巾木孔１７６ｎは、第二背側シュラウド通路１８３ｎにおけるサーペンタイン第二通路１８５ｎと交差しているように見える。
【０１１６】
背側第二巾木孔１７７ｎは、第二背側シュラウド通路１８３ｎにおけるサーペンタイン第二通路１８５ｎに連通している。この背側第二巾木孔１７７ｎは、このサーペンタイン第二通路１８５ｎから後側Ｄｗｂに延び、シュラウド本体１２０の後端面１２４ｂで開口している。
【０１１７】
腹側第一巾木孔１７６ｐは、第一腹側シュラウド通路１８２ｐにおけるサーペンタイン第一通路１８３ｐに連通している。この腹側第一巾木孔１７６ｐは、サーペンタイン第一通路１８３ｐから前側Ｄｗｆに延び、シュラウド本体１２０の前端面１２４ｆで開口している。
【０１１８】
腹側第二巾木孔１７７ｐは、第一腹側シュラウド通路１８２ｐにおけるサーペンタイン第二通路１８４ｐに連通している。この腹側第二巾木孔１７７ｐは、このサーペンタイン第二通路１８４ｐから前側Ｄｗｆに延び、シュラウド本体１２０の前端面１２４ｆで開口している。この腹側第二巾木孔１７７ｐは、第一腹側シュラウド通路１８２ｐにおけるサーペンタイン第一通路１８３ｐよりも反ガスパス側Ｄｗｈａを通っている。よって、翼高さ方向Ｄｗｈから見た場合、この腹側第二巾木孔１７７ｐは、第一腹側シュラウド通路１８２ｐにおけるサーペンタイン第一通路１８３ｐと交差しているように見える。
【０１１９】
腹側第三巾木孔１７８ｐは、第一腹側シュラウド通路１８２ｐにおけるサーペンタイン第三通路１８５ｐに連通している。この腹側第三巾木孔１７８ｐは、このサーペンタイン第三通路１８５ｐから前側Ｄｗｆに延び、シュラウド本体１２０の前端面１２４ｆで開口している。この腹側第三巾木孔１７８ｐは、第一腹側シュラウド通路１８２ｐにおけるサーペンタイン第一通路１８３ｐ及びサーペンタイン第二通路１８４ｐよりも反ガスパス側Ｄｗｈａを通っている。よって、翼高さ方向Ｄｗｈから見た場合、この腹側第三巾木孔１７８ｐは、第一腹側シュラウド通路１８２ｐにおけるサーペンタイン第一通路１８３ｐ及びサーペンタイン第二通路１８４ｐと交差しているように見える。
【０１２０】
各巾木孔１７５の開口は、貫通孔（不図示）が形成されているプラグ１７８により塞がれている。
【０１２１】
ここで、シュラウド本体１２０に形成されている巾木孔１７５が、仮に、シュラウド本体１２０の反ガスパス面１２２で開口しており、この開口がプラグで塞がれているとする。シュラウド本体１２０の反ガスパス面１２２は、この動翼１００がロータ軸に取り付けられた状態では、径方向外側を向いている。ガスタービンロータが回転すると、プラグには径方向外側に向かう遠心力が作用する。このため、反ガスパス面１２２における開口を塞いでいるプラグは、遠心力により、径方向外側に外れ易い。
【０１２２】
一方、本実施形態では、シュラウド本体１２０に形成されている巾木孔１７５が、シュラウド本体１２０の部分端面１２４で開口している。このため、ガスタービンロータが回転して、プラグ１７８に対して径方向外側に向かう遠心力が作用して、プラグ１７８が径方向外側の移動しようとしても、このプラグ１７８が巾木孔１７５の内面で受けられるので、巾木孔１７５から外れ難い。よって、本実施形態では、チップシュラウド１１０の損傷を抑えることができる。
【０１２３】
また、本実施形態でも、シュラウド本体１２０の部分端面１２４から噴出した冷却空気により、この部分端面１２４を冷却することができる。
【０１２４】
なお、本実施形態におけるシュラウド本体１２０の巾木孔１７５の開口は、上記第一変形例におけるプラットフォーム６０の巾木孔の開口と同様、プラグで塞がなくてもよい。
【０１２５】
また、本実施形態におけるシュラウド本体１２０の巾木孔１７５は、上記第一実施形態におけるプラットフォーム６０の巾木孔と同様、サーペンタイン通路における内側通路から反ガスパス側Ｄｗｈａに延びる第一延在部と、第一延在部における反ガスパス側Ｄｗｈａの端部から部分端面１２４側に延びて、部分端面１２４で開口する第二延在部と、を有してもよい。また、本実施形態におけるシュラウド本体１２０の巾木孔１７５は、第二変形例におけるプラットフォーム６０の巾木孔と同様、サーペンタイン通路における内側通路から、部分端面１２４に近づくに連れて次第に反ガスパス面１２２の側に近付く側に直線的に延びる傾斜孔部を有してもよい。また、本実施形態でも、上記第三変形例と同様、サーペンタイン通路における内側通路が反ガスパス側Ｄｗｈａに膨張した膨張部を有し、巾木孔は、この膨張部における内面のうちの部分端面１２４側の内面から、ガスパス面１２１とほぼ平行にシュラウド本体１２０の部分端面１２４に向かって直線的に延びてもよい。
【０１２６】
また、以上の実施形態及び各変形例は、いずれも、動翼に本発明を適用したものである。しかしながら、静翼に本発明を適用してもよい。すなわち、静翼の外側シュラウド（端板）又は内側シュラウド（端板）に、以上の実施形態又は各変形例と同様に、内側通路、外側通路、及び巾木孔を形成してもよい。
【符号の説明】
【０１２７】
１０：ガスタービン、１１：ガスタービンロータ、１５：ガスタービン車室、２０：圧縮機、２１：圧縮機ロータ、２５：圧縮機車室、３０：燃焼器、４０：タービン、４１：タービンロータ、４２：ロータ軸、４３：動翼列、４５：タービン車室、４６：静翼列、４６ａ：静翼、４９：燃焼ガス流路、５０，５０ａ，５０ｂ，５０ｃ，５０ｄ，５０ｚ，１００：動翼（又は、単に翼）、５１，１５１：翼体、５２：前縁、５３：後縁、５４：背側面、５５：腹側面、６０，１６０：プラットフォーム（端板）、６１，１２１：ガスパス面、６２，１２２：反ガスパス面、６３，６４，１２３，１２４：端面、６３，１２３：側端面、６３ｎ，１２３ｎ：背側端面、６３ｐ，１２３ｐ：腹側端面（部分端面）、６４，１２４：前後端面、６４ｆ，１２４ｆ：前端面、６４ｂ，１２４ｂ：後端面（部分端面）、７１，１７１：翼通路、７１ａ，１７１ａ：第一翼通路、７１ｂ，１７１ｂ：第二翼通路、７１ｃ，１７１ｃ：第三翼通路、１７１ｄ：第四翼通路、７５ｎ：側端巾木孔、７５ｐ，７５ｐｃ，７５ｐｅ：腹側第一巾木孔（巾木孔）、７５ｐａ：第一延在部、７５ｐｂ：第二延在部、７５ｐｄ：傾斜孔部、７６ｎ：背側第一巾木孔、７６ｐ：腹側第二巾木孔、７７ｎ：背側第二巾木孔、７７ｐ：腹側第三巾木孔（又は腹側巾木孔）、７８，１７８：プラグ、７９：貫通孔、８１：プラットフォーム通路、８１ｎ：背側プラットフォーム通路、８１ｐ：腹側プラットフォーム通路、８１ｐａ：第一腹側プラットフォーム通路、８１ｐｂ：第二腹側プラットフォーム通路、８２ｎ，８２ｐ，８２ｐａ，８２ｐｂ：流入通路、８３ｎ，８３ｐａ，８３ｐｂ：側端通路、８３ｐ，８４ｎ：サーペンタイン第一通路（内側通路）、８４ｐａ，８４ｐｂ：流出通路、８３ｐａ：膨張部、８４ｐ：サーペンタイン第二通路（内側通路）、８５ｎ：サーペンタイン第二通路（外側通路）、８５ｐ：サーペンタイン第三通路（外側通路）、９０，１９０：軸取付部、９１：シャンク、９２：翼根、９５：鋳型、９６：翼通路中子、９７：プラットフォーム通路中子、９８：巾木中子、１１０：チップシュラウド、１１１：第一チップフィン、１１２：第二チップフィン、１２０：シュラウド本体、１７５：巾木孔、１７６ｎ：背側第一巾木孔、１７６ｐ：腹側第一巾木孔、１７７ｎ：背側第二巾木孔、１７７ｐ：腹側第二巾木孔、１７８ｐ：腹側第三巾木孔、１８１：シュラウド通路、１８２ｐ：第一腹側シュラウド通路、１８２ｎ：第一背側シュラウド通路、１８３ｎ：第二背側シュラウド通路、１８６ｐ：第二腹側シュラウド通路、Ａｃ：冷却空気、Ｇ：燃焼ガス、Ｄａ：軸方向、Ｄａｕ：上流側、Ｄａｄ：下流側、Ｄｃ：周方向、Ｄｒ：径方向、Ｄｒｉ：径方向内側、Ｄｒｏ：径方向外側、Ｄｗｃ：翼弦方向、Ｄｗｆ：前側、Ｄｗｂ：後側、Ｄｗｈ：翼高さ方向、Ｄｗｈｐ：ガスパス側、Ｄｗｈａ：反ガスパス側、Ｄｗｐ：幅方向、Ｄｐｎ：背側、Ｄｐｐ：腹側、Ｌｃａ：キャンバーライン、Ｌｃｏ：翼弦
【図１】
0006613803.tif 000002
【図２】
0006613803.tif 000003
【図３】
0006613803.tif 000004
【図４】
0006613803.tif 000005
【図５】
0006613803.tif 000006
【図６】
0006613803.tif 000007
【図７】
0006613803.tif 000008
【図８】
0006613803.tif 000009
【図９】
0006613803.tif 000010
【図１０】
0006613803.tif 000011
【図１１】
0006613803.tif 000012
【図１２】
0006613803.tif 000013
【図１３】
0006613803.tif 000014
【図１４】
0006613803.tif 000015
【図１５】
0006613803.tif 000016
【図１６】
0006613803.tif 000017